(57)【要約】【課題】カバーが本体から落下することなく、意匠的美観を保つ固定構造及び給湯装置を提供する。【解決手段】  カバーの下部に設けられた基端より幅の大きい先端を有する係止片２２ｅ0を、係止片２２ｅ0の基端より幅が大きく且つ先端より幅が小さいスリット２１ｅの穴部２１ｅ2に挿入することで、係止片２２ｅ0が穴部２１ｅ2の縁により係止され、カバーの上部を着脱可能に固定することで、カバーがケーシング（本体）に固定される。これにより、カバーのケーシング（本体）への固定を容易に外すことができるとともに、カバーの上部の固定が外れてもカバーがケーシング（本体）から落下することがなく、安全に使用することが可能となる。【選択図】図３
2015102114.tif 000002
【特許請求の範囲】
【請求項１】
被固定物を固定対象に固定する固定構造であって、
前記被固定物の第１部分には、基端より幅の大きい先端を有する係止部材が突設され、
前記固定対象には、前記基端より幅が大きく且つ前記先端より幅が小さい穴部を有するスリットが設けられ、
前記係止部材を前記穴部に挿入し、前記第１部分から前記先端の幅方向に離間する前記被固定物の第２部分を該第２部分に対向する前記固定対象の対向部に着脱可能に固定することで、前記被固定物が前記固定対象に固定されることを特徴とする固定構造。
【請求項２】
前記スリットは、前記穴部から延びて前記固定対象外に連なる挿入部をさらに有し、
前記挿入部に前記固定対象外から前記係止部材の基端を挿入し、該基端を前記挿入部から前記穴部に移動することで、前記係止部材を前記穴部に挿入することを特徴とする、請求項１に記載の固定構造。
【請求項３】
前記穴部の縁の一部に前記基端が係合する溝部が設けられることを特徴とする、請求項２に記載の固定構造。
【請求項４】
前記固定対象の前記スリットが設けられた一面の幅は、前記被固定物の幅より少なくとも前記穴部の幅だけ小さいことを特徴とする、請求項３に記載の固定構造。
【請求項５】
前記係止部材の先端の前記第２部分側の前記基端側には、前記穴部が設けられた前記固定対象の一面に対して傾斜する斜辺部が形成されることを特徴とする、請求項３又は４に記載の固定構造。
【請求項６】
前記挿入部と前記溝部とは前記被固定物の幅方向に離間し、
前記固定対象は、前記被固定物を前記挿入部の位置から前記溝部の位置に移動させることを制限する干渉部材を有し、
前記干渉部材は前記被固定物の前記穴部が設けられた前記固定対象の一面に対する傾斜角度が所定の範囲外であれば前記移動を不能とするものであることを特徴とする、請求項２〜５のいずれか１項に記載の固定構造。
【請求項７】
前記干渉部材は、前記被固定物の側面の一端と前記固定対象の側面の一部との少なくとも一方は、前記斜辺部の傾斜角に対応する角度以下の角度で傾斜して形成されたものであることを特徴とする、請求項６に記載の固定構造。
【請求項８】
前記干渉部材は、前記固定対象の側面の少なくとも一部に前記被固定物の側面の一端が通る切り欠きが形成されたものであることを特徴とする、請求項５又は６に記載の固定構造。
【請求項９】
前記係止部材は、前記被固定物の第１部に複数設けられ、
前記スリットは、前記固定対象に、前記複数の係止部材に対応して複数設けられることを特徴とする、請求項１〜８のいずれか一項に記載の固定構造。
【請求項１０】
前記被固定物の第２部分は、該第２部分に設けられた開口を介して前記対向部にネジを螺入することで固定されることを特徴とする、請求項１〜９のいずれか一項に記載の固定構造。
【請求項１１】
給湯装置本体と、
前記給湯装置本体から延設される配管を覆う本体と、該本体の少なくとも一部に設けられた開口をふさぐカバーと、を有する箱体と、を備え、
請求項１〜１０のいずれか一項に記載の固定構造により、前記固定対象である前記本体に、前記被固定物である前記カバーが固定されることを特徴とする給湯装置。
【請求項１２】
前記箱体は、前記給湯装置の下に配置され、
前記係止部材及び前記スリットは、それぞれ、前記カバー及び前記本体の下方に設けられることを特徴とする、請求項１１に記載の給湯装置。
【発明の詳細な説明】
【技術分野】
【０００１】
本発明は、固定構造及び給湯装置に係り、更に詳しくは、被固定物を固定対象に固定する固定構造及び該固定構造によりカバーが給湯装置本体から延設される配管を覆う箱体に固定される給湯装置に関する。
【背景技術】
【０００２】
給湯装置本体の下端から延設される複数の配管類を隠すために、給湯装置の下方に化粧カバー（箱体）が設けられる。化粧カバーは、例えば、化粧カバーの両側面とこれらを固定する複数の梁とから構成されるケーシングと、ケーシングの前面を覆うカバーと、から構成される。給湯装置が特に屋外に設置される場合、風等による振動を継続的に受けることでカバーが化粧カバー（ケーシング）から外れ、落下する危険がある。カバーをネジによって係止しても、振幅でネジが緩み外れる場合があり、落下する危険が残る。
【０００３】
そこで、例えば特許文献１に開示される固定構造では、ケーシングの上部に架設された梁（に固設されたブラケット）に上向きに突片が設けられ、その突片をカバーの上部に設けられたスリットに差し入れることでカバーをケーシングに掛止する。また、ケーシングの下部に架設された梁（に固設されたブラケット）にはネジ穴が設けられている。そこで、さらに、そのネジ穴にカバーの下部に設けられた開口を介してネジを螺入することで、カバーがケーシングに固定される。
【０００４】
しかし、上述の構成の固定構造では、給湯装置の配管カバーを固定する場合、梁に上向きに設けられた突片が給湯装置全体の意匠的美観を害してしまう。また、一度化粧カバーを組み立ててその上に給湯装置本体を配置すると、カバーが給湯装置本体と干渉するため、ネジによる固定が外れても、化粧カバー（ケーシング）からカバーが外れて落下することはない。しかし、例えば配管類の整備等のためにカバーを外す必要が生じても、給湯装置本体を退避しない限り外すことができない場合も考えられ、不便を強いられてしまう。また、配管類の整備等を実施する工事業者は、ネジを外してもカバーを外すことができず、途惑ってしまい不必要に工事時間を費やしてしまうことも考えられる。
【０００５】
また、例えば特許文献２に開示される固定構造は、カバーに固定構造を設けずに取付具を用いるものであり、取付具の一端を固定対象に掛止し他端をネジによって係止するものである。
【０００６】
しかし、上述の構成の固定構造では、掛止部分を安定させるための構造を有さず、風等による振動の小さな取付具に使用される構造であって風等による振動の大きなカバーに使用できるものではない。
【先行技術文献】
【特許文献】
【０００７】
【特許文献１】特開２００６−３００２７９号公報
【特許文献２】特開平０８−０４２７５４号公報
【発明の概要】
【発明が解決しようとする課題】
【０００８】
本発明は、カバーの固定を容易に外すことができるとともに、風等による振動を継続的に受け、振幅でネジが緩み外れてもカバーが化粧カバー（箱体）から落下することがない固定構造及びこの固定構造を利用して安全に使用することのできる給湯装置を提供することを課題とする。
【課題を解決するための手段】
【０００９】
本発明は、被固定物を固定対象に固定する固定構造であって、前記被固定物の第１部分には、基端より幅の大きい先端を有する係止部材が突設され、前記固定対象には、前記基端より幅が大きく且つ前記先端より幅が小さい穴部を有するスリットが設けられ、前記係止部材を前記穴部に挿入してスライド（移動）させるにあたり被固定物と固定対象が所定角度以外では干渉する構造とし、スライド（移動）後に前記第１部分から前記先端の幅方向に離間する前記被固定物の第２部分を該第２部分に対向する前記固定対象の対向部に着脱可能に固定することで（前記干渉を回避するために前記被固定物と前記固定対象が前記所定角度にて移動させることで前記第２部分と前記第２部分の前記固定対象が対向位置になり、前記対向部に着脱可能に固定可能となることで）、前記被固定物が前記固定対象に固定されることを特徴とする固定構造である。
【００１０】
これによれば、係止部材を穴部に挿入することで係止部材の先端が穴部の縁により係止され、被固定物の第２部分を固定対象の対向部に着脱可能に固定することで被固定物が固定対象に固定される。
【００１１】
また、本発明の固定構造は、前記スリットは、前記穴部から延びて前記固定対象外に連なる挿入部をさらに有し、前記挿入部に前記固定対象外から前記係止部材の基端を挿入し、該基端を前記挿入部から前記穴部に移動することで、前記係止部材を前記穴部に挿入することを特徴とする。
【００１２】
これによれば、係止部材をその基端より幅が大きく且つその先端より幅が小さい穴部に容易に挿入することができるとともに、被固定物を固定対象から容易に取り外すことができる。
【００１３】
また、本発明の固定構造は、前記穴部の縁の一部に前記基端が係合する溝部が設けられることを特徴とする。
【００１４】
これによれば、基端が溝部に係合することで、係止部材がスリット内で係止される。
【００１５】
また、本発明の固定構造は、前記固定対象の前記スリットが設けられた一面の幅は、前記被固定物の幅より少なくとも前記穴部の幅だけ小さいことを特徴とする。
【００１６】
これによれば、係止部材の基端を穴部内でその幅方向に移動することができる。
【００１７】
また、本発明の固定構造は、前記係止部材の先端の前記第２部分側の前記基端側には、前記穴部が設けられた前記固定対象の一面に対して傾斜する斜辺部が形成されることを特徴とする。
【００１８】
これによれば、斜辺部が穴部の縁により係止されるため、斜辺部の傾斜角の範囲内で被固定物を固定対象に対して傾けることができる。
【００１９】
また、本発明の固定構造は、前記挿入部と前記溝部とは前記被固定物の幅方向に離間し、前記固定対象は、前記被固定物を前記挿入部の位置から前記溝部の位置に移動させることを制限する干渉部材を有し、前記干渉部材は前記被固定物の前記穴部が設けられた前記固定対象の一面に対する傾斜角度が所定の範囲外であれば前記移動を不能とするものであることを特徴とする。
【００２０】
これによれば、被固定物の取付容易性を保ちつつ、風等による偶然の離脱を少なくすることができる。
【００２１】
また、本発明の固定構造は、前記干渉部材は前記被固定物の側面の一端と前記固定対象の側面の一部との少なくとも一方は、前記斜辺部の傾斜角に対応する角度以下の角度で傾斜して形成されたものであることを特徴とする。
【００２２】
これによれば、前記固定対象に対して前記被固定物をそれらの側面が干渉することなく移動することができる。
【００２３】
また、本発明の固定構造は、前記干渉部材は、前記固定対象の側面の少なくとも一部に前記被固定物の側面の一端が通る切り欠きが形成されたものであることを特徴とする。
【００２４】
これによれば、前記固定対象に対して前記被固定物をそれらの側面が干渉することなく移動することができる。
【００２５】
また、本発明の固定構造は、前記係止部材は、前記被固定物の第１部に複数設けられ、前記スリットは、前記固定対象に、前記複数の係止部材に対応して複数設けられることを特徴とする。
【００２６】
これによれば、被固定物を固定対象により安定に固定することができる。
【００２７】
また、本発明の固定構造は、前記被固定物の第２部分は、該第２部分に設けられた開口を介して前記対向部にネジを螺入することで固定されることを特徴とする。
【００２８】
これによれば、被固定物の第２部分を固定対象の対向部に着脱可能に固定することができる。
【００２９】
また、本発明は、給湯装置本体と、前記給湯装置本体から延設される配管を覆う本体と、該本体の少なくとも一部に設けられた開口をふさぐカバーと、を有する箱体と、を備え、本発明の固定構造のいずれかにより、前記固定対象である前記本体に、前記被固定物である前記カバーが固定されることを特徴とする給湯装置である。
【００３０】
これによれば、カバーが箱体から落下することがなく、安全に使用することができる。
【００３１】
また、本発明の給湯装置は、前記箱体は、前記給湯装置の下に配置され、前記係止部材及び前記スリットは、それぞれ、前記カバー及び前記本体の下方に設けられることを特徴とする。
【００３２】
これによれば、カバーを、その下端を軸に傾斜可能に本体に取り付けることができ、それによりカバーの上方を開くことができる。
【発明の効果】
【００３３】
本発明の固定構造によると、被固定物の固定対象への固定を容易に外すことができるとともに、被固定物の第２部分の固定が外れても被固定物が固定対象から落下することがなく、安全に使用することが可能となる。
【００３４】
また、本発明の給湯装置によると、本発明の固定構造を利用することで安全に使用することが可能となる。
【図面の簡単な説明】
【００３５】
【図１】図１（Ａ）及び（Ｂ）は、それぞれ、一実施形態に係る給湯装置の全体構成を示す正面図及び側面図である。
【図２】図２（Ａ）は、化粧カバーを構成するケーシング（本体）とカバーの概略構成を示す分解斜視図である。図２（Ｂ）〜（Ｅ）はケーシング（本体）とカバーの関係を示す断面図である。
【図３】図３（Ａ）及び（Ｂ）は、それぞれ、カバーをケーシング（本体）に固定する固定構造を構成する係止片が設けられたブラケット及びスリットが形成された梁を示す斜視図である。
【図４】図４（Ａ）〜（Ｄ）は、係止片をスリットに挿入する手順を説明するための図である。図４（Ｅ）〜（Ｈ）は、係止片をスリットに挿入する際に干渉する突起物を示す図である。図４（Ｉ）は、係止片とスリットの変形構成例を示す図である。
【図５】図５（Ａ）はカバーのフランジの下端の構成を示す拡大図、図５（Ｂ）はケーシング（本体）の側面に対するカバーの干渉（又は不干渉）を説明するための図、図５（Ｃ）はケーシング（本体）の断面を示す図、図５（Ｄ）及び（Ｅ）はケーシング（本体）の側面とカバーの干渉例を示す図である。
【発明を実施するための形態】
【００３６】
以下、本発明の実施形態を、説明する。
【００３７】
図１に、本実施形態に係る給湯装置１を示す。給湯装置１は、給湯装置本体１０と、化粧カバー２０と、を備える。
【００３８】
給湯装置１は、例えば、家屋外の地面Ｆ上に脚部２３を介して配置され、その筐体１１の上面がＬ字状の固定具１３を用いて家屋等の壁面Ｖに固定される。ここで、給湯装置本体１０の下端から湯水等を屋内に供給するための、ガス栓、止水栓が取り付けられた配管類１５（図１において点線を用いて示す）が、壁面Ｖを介して屋内に延設されている。ここで脚部２３は、給湯装置１側にあっても良いし、又は、地面Ｆ側からアンカーボルトのような形で立設されているものを用いても良い。なお、脚部２３に代わり、後述の梁２１ｇと壁面Ｖとを固定して、給湯装置１が地面Ｆと接しないようにしてもかまわない。
【００３９】
図２（Ａ）に、化粧カバー２０の分解斜視図を与える。化粧カバー２０は、ケーシング（本体）２１と、カバー２２と、から構成される。図中、ケーシング（本体）２１とカバー２２は、基準軸Ｌについて分解して示されている。
【００４０】
本体２１は、平板状の２つの側面２１ｄと、両端に取付片が設けられた３つの梁２１ａ，２１ｃ，２１ｇと、から構成される。ここで、梁２１ａには、前（−Ｙ側）に突出部２１ａ0があり突出部２１ａ0に２つのネジ穴２１ｆが形成されている。また、梁２１ｃには、２つのスリット２１ｅが形成されている。
【００４１】
２つの側面２１ｄはＸ軸方向の一側と他側にそれぞれの内面を対向して配置され、それらの前部上側（−Ｙ，＋Ｚ側）の端部が梁２１ａにより、それらの前部下側（−Ｙ，−Ｚ側）の端部が梁２１ｃにより、それらの後部下側（＋Ｙ，−Ｚ側）の端部が梁２１ｇにより、連結されている。梁２１ａ，２１ｃ及び梁２１ｇは、一面をそれぞれ前方（−Ｙ方向）及び後方（＋Ｙ方向）に向け、取付片を側面２１ｄの内面に当接して、ネジ、ビス等の固定具を用いて或いは溶接により側面２１ｄに固定されている。なお、梁の数、形状、材質等及び側面２１ｄへの取付方法は、側面２１ｄを支持するのに十分な強度が得られるよう適当に定めることとする。
【００４２】
本体２１は、図１に示すように、給湯装置本体１０の下（−Ｚ側）に、２つの側面２１ｄの外面が給湯装置本体１０の筐体１１の側面と略面一に、配置される。これにより、給湯装置本体１０の下端から延びる配管類１５が、２つの側面２１ｄの間を上下（Ｚ軸方向）及び前後（Ｙ軸方向）に通って、屋内に向かって配設されることとなる。
【００４３】
カバー２２は、前面２２ａと、上面２２ｂ及び下面２２ｃと、フランジ２２ｄと、を含んで形成されている。
【００４４】
前面２２ａは、−Ｙ方向に凸状に形成されている。前面２２ａの上端（＋Ｚ端）近傍には、後述するように固定具（ネジ３１）を通すための２つの孔２２ｆが設けられている。
【００４５】
上面２２ｂ及び下面２２ｃは、等脚台形状の平板であり、それぞれ前面２２ａの上端及び下端に固設されている。下面２２ｃには、その＋Ｙ端（第１部分）に、２つのブラケット２２ｅが梁２１ｃの前面（−Ｙ面）に対向して固定されている。なお、ブラケット２２ｅは下面２２ｃの＋Ｙ端を＋Ｚ方向に屈曲することで下面２２ｃと一体的に形成してもよいし、別部材を下面２２ｃに溶接等により固定することで形成してもよい。ブラケット２２ｅの構造については後述する。
【００４６】
次に図２（Ｂ）を用いて梁２１ａと、梁２１ａに設けられた２つのネジ穴２１ｆと、側面２１ｄと、カバー２２との関係について説明する。図２（Ｂ）は図２（Ａ）のＰ面の矢視断面を示す。図２（Ｂ）に示される通り、ケーシング（本体）２１と、カバー２２とが正対して始めてネジ穴２１ｆと孔２２ｆが対向し、ネジ３１で梁２１ａとカバー２２とを密着固定することができる。
【００４７】
図２（Ｃ）に、図２（Ａ）のＱ面の矢視断面を与える。係止片２２ｅ0がスリット２１ｅに納まっている。なお、図２（Ｄ）及び図２（Ｅ）については後述する。
【００４８】
フランジ２２ｄは、前面２２ａの±Ｘ端部を＋Ｙ方向に屈曲して形成されている。その下端（−Ｚ端）は、カバー２２を本体２１に固定する際に梁２１ｃ及び側面２１ｄと干渉しないように、図５（Ａ）に示すように、角度θ’だけ傾斜して形成されている。ここで、傾斜角θ’を係止片２２ｅ0の斜辺部の傾斜角θに等しく又はこれより小さいとする。これにより、図５（Ｂ）に示すように側面２１ｄ（本体２１）に対してカバー２２を傾けることで、後述するようにカバー２２を本体２１に固定する際（係止片２２ｅ0を穴部２１ｅ2内でその幅方向に移動する際）、カバー２２を本体２１に対してＸ軸方向にスライドすることができる。
【００４９】
もし傾きが浅いと（図５（Ｂ）に示す干渉角度内では）（図５（Ｂ）に側面２１ｄを点線で示す。）、図５（Ｂ）のハッチング部分が示すように、フランジ２２ｄと側面２１ｄとが干渉し、Ｘ軸方向にスライドすることができない。図５（Ａ）の一点鎖線Ｓ、図５（Ｂ）の○印は、後述する係止片２２ｅ0を穴部２１ｅ2内底部に密着させてθ傾ける場合の回転軸を示す。図５（Ａ）において一点鎖線Ｓで示すとおり、係止片２２ｅ0と挿入部２１ｅ1が対向する位置をＸ軸方向に移動した位置である。回転軸となる部材は存在しない。図５（Ａ）では、回転軸を中心にカバー２２を角度θ’傾斜させることで側面２１ｄにフランジ２２ｄ下端（−Ｚ端）が干渉しないように手前側（−Ｙ方向）に移動することでカバー２２を本体２１に対して＋Ｘ軸方向にスライドすることができるようになる。
また、フランジ２２ｄの下端（−Ｚ端）がカバー２２を角度θ傾けた際に側面２１ｄと干渉しないように、図５（Ａ）に示すように、フランジ２２ｄの下端は角度θ’傾斜して形成されているが、フランジ２２ｄを角度θ’傾斜させた時に形成される、フランジ２２ｄの傾斜がフランジ２２ｄの端面に至る点Ｂ’と側面２１ｄとの最小隙間Ｂと、フランジ２２ｄの傾斜下端と回転軸間の距離Ａと、フランジ２２ｄの端面と回転軸間の距離Ｃとの関係は、Ａ＋Ｂ＜Ｃとならなければ、フランジ２２ｄを干渉部材として使用できない。
なお、図５（Ａ）のＺ軸水平方向断面（図５（Ａ）におけるＲ面断面）を図５（Ｃ）に示す。
【００５０】
なお、カバー２２が本体２１と干渉しないように、例えば図５（Ｄ）に示すように、本体２１の側面２１ｄの一部にフランジ２２ｄの下端が通る切り欠き２１ｄ0を形成してもよい。切り欠き２１ｄ0の形状は、フランジ２２ｄの下端が通ればいかなる形状を採用してよい。
【００５１】
また、フランジ２２ｄの下端を角度θ’傾斜して形成するとともに、側面２１ｄに切り欠き２１ｄ0を設けることとしてもよい。
【００５２】
また、角度θ傾けた係止片２２ｅ0を穴部２１ｅ2内でその幅方向に移動する際に干渉しないように（係止片２２ｅ0を穴部２１ｅ2内で角度θ傾けないと、その幅方向に移動する際に干渉するように）、下端が（角度θ’だけ）傾斜したフランジ２２ｄ、又は切り欠き２１ｄ0を持つ本体２１に替えて又はフランジ２２ｄ又は本体２１と併せて、図４（Ｅ）に示すように梁２１ｃに、カバー２２（係止片２２ｅ0）を所定の角度だけ傾けないと移動する際に干渉する突起物２１ｃ2を形成してもよい。この場合、カバー２２を十分に傾ければ図４（Ｅ）に示すように移動でき、傾きが浅いと図４（Ｆ）に示すように突起物２１ｃ2と干渉して移動できない。図４（Ｇ）に突起物２１ｃ2と係止片２２ｅ0との干渉を拡大断面図で示す。傾きが大きい場合には（図中に示す干渉回避角度内では）実線で示したように突起物２１ｃ2と係止片２２ｅ0とが干渉せず、傾きが小さいと（図中に示す干渉角度内では）点線で示したように突起物２１ｃ2と係止片２２ｅ0とが干渉する。
【００５３】
カバー２２を本体２１に固定して本体２１（側面２１ｄ）の前面の開口を塞いで化粧カバー２０を形成することで、給湯装置本体１０の下端から延びる配管類１５が隠される。
【００５４】
カバー２２を本体２１に固定するための固定構造３０について説明する。
【００５５】
固定構造３０は、カバー２２（下面２２ｃ）に固定されたブラケット２２ｅとスリット２１ｅが形成された梁２１ｃとから構成される。
【００５６】
図３（Ａ）に、ブラケット２２ｅの構成を示す。ブラケット２２ｅは、矩形状の平板であり、その中央に鉤状の係止片２２ｅ0が切り抜き形成されている。係止片２２ｅ0は、その基端で折曲されて、ブラケット２２ｅ（ＸＺ面）に対して垂直方向（＋Ｙ方向）に突設されている。
【００５７】
係止片２２ｅ0は、基端（幅ｈ１）より幅の大きい先端（幅ｈ２（＞ｈ１））を有する。先端の下部は、基端に対して下方（−Ｚ方向）に延びる係止部を形成する。また、先端の上部は、基端に対して上方（＋Ｚ方向）に延び、ブラケット２２ｅ（ＸＺ面）に対して角度θ傾斜する斜辺部を形成する。なお、傾斜角θは１５〜４５度の範囲内とし、３０度が好適である。また、基端のＹ軸方向の長さは梁２１ｃの厚さより長いものとする。
【００５８】
図３（Ｂ）に、梁２１ｃに設けられたスリット２１ｅの構成を示す。図中、梁２１ｃの裏面（＋Ｙ面）側が示されている。スリット２１ｅは、略正方形状の穴部２１ｅ2と矩形状の挿入部２１ｅ1とが互いに連なって形成されている。
【００５９】
穴部２１ｅ2のＺ軸方向の幅Ｈは、係止片２２ｅ0の基端より大きく（Ｈ＞ｈ１）且つ先端より小さい（Ｈ＜ｈ２）。穴部２１ｅ2の下側（−Ｚ側）の縁の一部に、係止片２２ｅ0（基端）の厚さより幅が大きく、その基端が係合可能な溝部２１Ｃ0が形成されている。係止片２２ｅ0は、基端（幅ｈ１）より幅の大きい先端（幅ｈ２（＞ｈ１））を有する。先端の下部は、基端に対して下方（−Ｚ方向）に延びる係止部を形成する。また、先端の上部は、基端に対して上方（＋Ｚ方向）に延び、ブラケット２２ｅ（ＸＺ面）に対して角度θ傾斜する斜辺部を形成する。なお、傾斜角θは１５〜４５度の範囲内とし、３０度が好適である。また、基端のＹ軸方向の長さは梁２１ｃの厚さより長いものとする。
【００６０】
挿入部２１ｅ1は、穴部２１ｅ2の一端（−Ｘ端）から上方（＋Ｚ方向）に延びて梁２１ｃ外に連なる。そのＸ軸方向の幅は、係止片２２ｅ0（基端）の厚さより大きい。
【００６１】
２つの係止片２２ｅ0を２つのスリット２１ｅにそれぞれ挿入して、カバー２２をケーシング（本体）２１に固定する手順を説明する。
【００６２】
最初に、本体２１の前面側でカバー２２の±Ｘ端を両手で保持すると共に、カバー２２を本体２１に対して一定角度（例えば角度θ’〜θ）の傾きを持たせて、２つのブラケット２２ｅをそれぞれ対応する梁２１ｃのスリット２１ｅ上に配置する。一定角度の傾きを持たせているので、図２（Ｄ）に示すように、カバー２２（フランジ２２ｄ）と本体２１（側面２１ｄ）とは干渉しない。
【００６３】
次に、傾きを維持したままカバー２２を下方（−Ｚ方向）に下げる。それにより、図４（Ａ）に示すように、係止片２２ｅ0の基端が下方（図中の黒塗り矢印の方向）に降りて、梁２１ｃ上からスリット２１ｅの挿入部２１ｅ1に挿入され、さらに穴部２１ｅ2の下端（−Ｚ端）に当接する。
【００６４】
次に、カバー２２を＋Ｘ方向にスライドする。カバー２２は本体２１に対して角度θ’の傾きを持たせているので、スライドさせても図５（Ｂ）に示されるようなフランジ２２ｄと側面２１ｄとの干渉が回避される。それにより、図４（Ｂ）に示すように、係止片２２ｅ0の基端が穴部２１ｅ2内を＋Ｘ方向（図中の黒塗り矢印の方向）に移動することができる。このようにして、係止片２２ｅ0が、その基端より幅が大きく且つその先端より幅が小さい穴部２１ｅ2に挿入される。
【００６５】
なお、カバー２２を例えば角度θ’〜θとなるように両手で保持して、逆順に、係止片２２ｅ0をスリット２１ｅ内で移動することで、容易に、係止片２２ｅ0を梁２１ｃから、すなわちカバー２２を本体２１から取り外すことができる。
【００６６】
さらに、カバー２２を＋Ｘ方向にスライドすることで係止片２２ｅ0の基端が穴部２１ｅ2の＋Ｘ端まで達し、図４（Ｃ）に示すように一定角度（例えば角度θ’〜θ）の傾きを戻すと、係止片２２ｅ0の基端は穴部２１ｅ2の奥端に形成された溝部２１Ｃ0内（図中の黒塗り矢印の方向）に降り、その中に嵌る。それにより、図４（Ｄ）に示すように、係止片２２ｅ0の基端が溝部２１Ｃ0に係合することで、係止片２２ｅ0がスリット２１ｅ内でＸ軸方向に係止される。
次に図２（Ｄ）を用いて挿入部２１ｅ1と、溝部２１Ｃ0と、係止片２２ｅ0と、フランジ２２ｄと、側面２１ｄとの関係について説明する。図２（Ｄ）は図２（Ａ）のＱ面の矢視断面を示す。図２（Ｄ）に示される通り、係止片２２ｅ0と挿入部２１ｅ1が対向した位置、すなわち、前記２つのブラケット２２ｅをそれぞれ対応する梁２１ｃのスリット２１ｅ上に配置してカバー２２を下方（−Ｚ方向）に下げた時には、一端のフランジ２２ｄは側面２１ｄと側面２１ｄ間にあり、他端のフランジ２２ｄは側面２１ｄ外となる。図２（Ｅ）に示される通り、この状態でカバー２２を本体２１にネジ３１で固定しようとカバー２２の一定角度（例えば角度θ’〜θ）の傾きをなくしてもフランジ２２ｄが梁２１ａと干渉して、ネジ穴２１ｆと孔２２ｆが対向せず、ネジ３１で梁２１ａとカバー２２とを密着固定することができない。すなわち、係止片２２ｅ0をスリット２１ｅ内で移動させて、係止片２２ｅ0のＸ軸方向位置と溝部２１Ｃ0のＸ軸方向位置が一致して初めてネジ３１で固定することができる。
【００６７】
上述の通り、係止片２２ｅ0をスリット２１ｅに挿入することで、係止片２２ｅ0の先端下部が穴部２１ｅ2の縁によりＹ軸方向に係止される。さらに、係止片２２ｅ0の先端上部の斜辺部が穴部２１ｅ2の縁によりθｘ方向（Ｘ軸周りの回転方向）に係止される。これにより、係止片２２ｅ0（カバー２２）が梁２１ｃ（本体２１）から外れることなく、さらに、斜辺部の傾斜角θの範囲内でカバー２２を本体２１に対して傾けることができる。
【００６８】
なお、上の説明では、ブラケット２２ｅ（カバー２２）を梁２１ｃに対して一定角度（例えば角度θ’〜θ）の傾きを持たせて係止片２２ｅ0をスリット２１ｅに挿入とＸ軸方向のスライドをしたが、係止片２２ｅ0の斜辺部の傾斜角θより小さい所定の範囲内でブラケット２２ｅ（カバー２２）の上部を手前側（−Ｙ方向）に傾けた状態で係止片２２ｅ0をスリット２１ｅに挿入し、傾きを角度θとしてＸ軸方向のスライドをすると、好適である。
【００６９】
係止片２２ｅ0の基端が穴部２１ｅ2内の溝部２１Ｃ0より係止され、カバー２２が本体２１に対してＸ軸方向に位置決めされた後、カバー２２を本体２１の前面に対して平行に立てる（一定角度（例えば角度θ’〜θ）の傾きを解除する）と、カバー２２の前面２２ａの上端（＋Ｚ端）近傍（第２部分）に設けられた２つの孔２２ｆが梁２１ａに設けられた２つのネジ孔２１ｆにＹ軸方向に連通する。そこで、最後に、カバー２２の２つの孔２２ｆをそれぞれ介して梁２１ａの２つのネジ孔２１ｆにそれぞれネジ３１を螺入する。それにより、カバー２２（上部）が本体２１（梁２１ａ）に着脱可能に固定される。
【００７０】
なお、カバー２２を本体２１から取り外す場合、逆の手順に従うことで容易に取り外すことができる。
【００７１】
以上詳細に説明したように、本発明に係る固定構造３０を利用して、係止片２２ｅ0を梁２１ｃに設けられたスリット２１ｅの穴部２１ｅ2に挿入することで係止片２２ｅ0が穴部２１ｅ2の縁により係止され、カバー２２の上部を着脱可能に梁２１ａに固定することで、カバー２２がケーシング（本体）２１に固定される。これにより、カバー２２のケーシング（本体）２１への固定を容易に外すことができるとともに、カバー２２の上部の固定が外れても（風等の振幅でネジが緩み外れても、例えば角度θ’±（θ−θ’）以外では干渉してスライドしないよう構造としているので、）カバー２２が−Ｙ方向の風で例えば角度θ’〜θの傾きとなった時にカバー２２を本体２１に対してＸ軸方向にスライドするような−Ｘ方向の風が吹かない限りケーシング（本体）から落下することがなく、安全に使用することが可能となる。
【００７２】
また、本実施形態の化粧カバー２０では、係止片２２ｅ0の先端（斜辺部）の形状により、スリット２１ｅの穴部２１ｅ2内に挿入された係止片２２ｅ0を軸に、斜辺部の傾斜角θの範囲内でカバー２２を本体２１に対して傾けることができる。そこで、化粧カバー２０内の配管類１５等の観察或いはガス栓の開閉操作、止水栓の開閉操作等簡単な整備を要する場合、カバー２２を本体２１から取り外さず、ネジ３１を外してカバー２２の上部の固定のみを外し、カバー２２を手前（−Ｙ側）に倒してその上方のみを開けて処理することもできる。
【００７３】
なお、本実施形態の給湯装置１の化粧カバー２０では、ネジ３１を用いて、カバー２２（の上部）を本体２１（梁２１ａ）に着脱可能に固定したが、これに限らず、着脱可能に固定することができるものであれば適当な固定具（留め具）を使用してよい。
【００７４】
また、本実施形態の給湯装置１の化粧カバー２０では、固定構造３０を構成する２つのブラケット２２ｅとこれに対応して２つのスリット２１ｅが設けられた梁２１ｃを採用したが、必要とする取り付け強度に応じてブラケット２２ｅ（係止片２２ｅ0）とスリット２１ｅとのそれぞれの数を適当に定めることとする。ケーシング（本体）２１の側面２１ｄを固定する梁２１ｃにスリット２１ｅを形成したが、スリット２１ｅが形成されたブラケットを梁２１ｃに溶接等により固定してもよい。これにより、カバー２２をケーシング（本体）２１により安定に固定することが可能となる。
【００７５】
また、本実施形態の給湯装置１の化粧カバー２０は、本体２１の前面すべてが開いて構成され、この前面を同形状のカバー２２を用いて覆う構成を採用したが、これに限らず、本体２１に前面を設け、その一部に設けられた開口をその開口と同形状又はそれより大きい形状のカバーを用いて覆う構成を採用しても良い。また、前面ではなく側面、後面、或いは下面が開いて構成され、その一面をカバー２２を用いて覆う構成を採用してもよい。
【００７６】
また、本実施形態の固定構造３０では、スリット２１ｅを穴部２１ｅ2とそれから梁２１ｃ外に連なる挿入部２１ｅ1とから形成したが、穴部２１ｅ２が係止片２２ｅ0を挿入することのできる別の穴部と連なって形成されれば、必ずしも梁２１ｃ外に開いて形成されている必要はなく、任意の形状を採用することができる。例えば、係止片２２ｅ0の先端より幅の大きい別の穴部と穴部２１ｅ2とが連なってスリット２１ｅが形成され、その別の穴部に係止片２２ｅ0を先端から基端まで挿入し、その基端を別の穴部から穴部２１ｅ2に移動することで、係止片２２ｅ0を穴部２１ｅ2に挿入することとしてもよい。これにより、係止片２２ｅ0をその基端より幅が大きく且つその先端より幅が小さい穴部２１ｅ2に挿入することができるとともに、係止片２２ｅ0、すなわちカバー２２をケーシング（本体）２１から容易に取り外すことができる。
【００７７】
また、本実施形態の給湯装置１では、給湯装置本体１０の下端から延設される配管類１５を隠すために、給湯装置本体１０の下に化粧カバー２０を配置した。ただし、配管類１５の延設方向に応じて化粧カバー２０を配置することとする。例えば、給湯装置本体１０の上に化粧カバー２０を配置してもよい。また、ブラケット２２ｅ（係止片２２ｅ0）をカバー２２の上端に、スリット２１ｅをケーシング（本体）２１上部の梁２１ａにそれぞれ設け、カバー２２の下部をケーシング（本体）２１下部の梁２１ｃに着脱可能に固定してもよい。これにより、カバー２２を、その上端を軸に傾斜可能に本体２１に取り付けることができ、それによりカバー２２の下方を開くことができる。
またＸ軸方向のスライドに際して干渉する構造対象は、フランジ２２ｄと梁２１ａ（図５（Ｂ）、図５（Ｅ））や、係止片２２ｅ0と梁２１ｃ（図４（Ｆ））に限らず、例えば−Ｙ方向に凸状に形成されている前面２２ａの±Ｘ端部の傾斜部分とネジ孔２１ｆが設けられている梁２１ａの突出部分（突出部２１ａ0）の±Ｘ端部のように適宜設定すれば良い。
さらに、上の説明では、ブラケット２２ｅ（カバー２２）を梁２１ｃに対して例えば角度θ’〜θ以外では干渉してスライドしないような構造としたが、このθはブラケット２２ｅ（カバー２２）の取りうる最大傾斜角θと一致している。しかし、ブラケット２２ｅ（カバー２２）の取りうる最大傾斜角θを含まないθ以下の特定の範囲内でしかスライドしないような構造とすれば（例えば図４（Ｈ）や、図５（Ｅ）のように傾きが大き過ぎても、少なすぎても干渉するようにすれば）、カバー２２が−Ｙ方向の風で例えば前記特定の範囲内で揺らいでいる時にカバー２２を本体２１に対してＸ軸方向にスライドするような−Ｘ方向の風が吹かない限りケーシング（本体）から落下することがなく、より安全に使用することが可能となり好適である。
なお、前記スライドは＋Ｘ軸方向の移動に限らず、図３（Ｂ）に示すスリット２１ｅを鏡面反転させて移動方向を−Ｘ軸方向スライドとしてもかまわないし、梁２１ｃにスリット２１ｅを、ブラケット２２ｅに係止片２２ｅ0を設けたが、図４（Ｉ）のように梁２１ｃに係止片２２ｅ0を、ブラケット２２ｅにスリット２１ｅを設けてもよい。
【００７８】
また、本実施形態の固定構造３０は、給湯装置１の化粧カバー２０においてのみ利用可能なものではなく、被固定物を固定対象に固定するあらゆるものに利用することができる。
【産業上の利用可能性】
【００７９】
本発明の固定構造は、被固定物を固定対象に固定するのに好適である。また、本発明の給湯装置は、給湯装置本体から延設される配管を隠す化粧カバーが落下することなく、且つ容易に取り外すことができ、安全に使用する上で好適である。
【符号の説明】
【００８０】
１…給湯装置
１０…給湯装置本体
１１…筐体
１３…固定具
１５…配管類
２０…化粧カバー
２１…ケーシング（本体）
２１ａ，２１ｃ，２１ｇ…梁
２１ｂ…側面
２１ｄ…側面
２１ｅ（２１ｅ1，２１ｅ2，２１ｃ0）…スリット（挿入部、穴部、溝部）
２１ｆ…ネジ穴
２２（２２ａ，２２ｂ，２２ｃ，２２ｄ，２２ｄ，２２ｄ0）…カバー（前面、上面、下面、側面、フランジ、切り欠き）
２２ｅ…ブラケット
２２ｅ0…係止片
２２ｆ…孔
２３…脚部
３０…固定構造
３１…ネジ
【図１】
2015102114.tif 000003
【図２】
2015102114.tif 000004
【図３】
2015102114.tif 000005
【図４】
2015102114.tif 000006
【図５】
2015102114.tif 000007